(57)【要約】【課題】分散型アンテナシステム（ＤＡＳ）において信号をルーティングするシステムを提供する。【解決手段】分散型アンテナシステム（ＤＡＳ）において信号をルーティングするシステムは、１つまたは複数のベース・バンド・ユニット（ＢＢＵ）を含む。１つまたは複数のＢＢＵの各々は、１つまたは複数のデジタル出力を有する。システムは、互いに結合され複数のＤＭＵ間で信号をルーティングするように動作可能な複数のデジタル・マルチプレクサ・ユニット（ＤＭＵ）を同様に含む。複数のＤＭＵの各々は、１つまたは複数のＢＢＵから１つまたは複数のデジタル入力を受信するように動作可能である。システムは、複数のＤＭＵに結合され複数のＤＲＵと複数のＤＭＵのうちの１つまたは複数との間で信号を転送するように動作可能な複数のデジタル・リモート・ユニット（ＤＲＵ）をさらに含む。【選択図】図１
2020018014.tif 000002
【特許請求の範囲】
【請求項１】
分散型アンテナシステムにおいて信号をルーティングするシステムであって、前記システムは、
１つまたは複数のベース・バンド・ユニット（ＢＢＵ）であって、前記１つまたは複数のＢＢＵの各々は、１つまたは複数のデジタル出力を有する、１つまたは複数のベース・バンド・ユニット（ＢＢＵ）と、
互いに結合され複数のＤＭＵ間で信号をルーティングするように動作可能な複数のデジタル・マルチプレクサ・ユニット（ＤＭＵ）であって、前記複数のＤＭＵの各々は、前記１つまたは複数のＢＢＵから１つまたは複数のデジタル入力を受信するように動作可能である、複数のデジタル・マルチプレクサ・ユニット（ＤＭＵ）と、
前記複数のＤＭＵに結合され、複数のＤＲＵと前記複数のＤＭＵのうちの１つまたは複数との間で信号を転送するように動作可能な複数のデジタル・リモート・ユニット（ＤＲＵ）と、
を備える、システム。
【請求項２】
前記１つまたは複数のＢＢＵの各々は、前記１つまたは複数のデジタル出力を出力するように動作可能な複数のセクタ接続を含む、請求項１に記載のシステム。
【請求項３】
前記複数のセクタ接続の各々は、光出力を備える、請求項２に記載のシステム。
【請求項４】
前記複数のＤＭＵの各々は、前記複数のＢＢＵの各々からデジタル信号を受信するように動作可能である、請求項１に記載のシステム。
【請求項５】
前記複数のＤＭＵは、イーサネット（登録商標）ケーブル、光ファイバ、マイクロウェーブ・ライン・オブ・サイト・リンク、ワイヤレスリンク、または衛星リンクのうちの少なくとも１つを介して、互いに結合され前記複数のＤＲＵに結合される、請求項１に記載のシステム。
【請求項６】
前記ＤＲＵは、デイジーチェーン構成で接続される、請求項１に記載のシステム。
【請求項７】
前記ＤＲＵは、星状構成で前記複数のＤＭＵに接続される、請求項１に記載のシステム。
【請求項８】
前記ＤＭＵは、イーサネット（登録商標）ケーブル、光ファイバ、マイクロウェーブ・ライン・オブ・サイト・リンク、ワイヤレスリンク、または衛星リンクのうちの少なくとも１つを介して、前記ＢＢＵに接続される、請求項１に記載のシステム。
【請求項９】
前記ＤＲＵは、複数のＤＭＵにループ状に接続される、請求項１に記載のシステム。
【請求項１０】
複数のデジタル・マルチプレクサ・ユニット（ＤＭＵ）および複数のデジタル・リモート・ユニット（ＤＲＵ）を含む分散型アンテナシステム（ＤＡＳ）において信号をルーティングする方法であって、前記方法は、
１つまたは複数のベース・バンド・ユニット（ＢＢＵ）のセクタポートからのデジタル信号を、前記複数のＤＭＵのポートで、受信するステップと、
前記複数のＤＭＵ間で前記デジタル信号をルーティングするステップと、
前記複数のＤＭＵと複数のＤＲＵとの間で前記デジタル信号を転送するステップと、
を含む、方法。
【請求項１１】
前記ＤＭＵ間で前記デジタル信号をルーティングするステップは、ルーティングテーブルを用いるサブステップを含む、請求項１０に記載の方法。
【請求項１２】
前記ルーティングテーブルは、前記複数のＤＭＵに結合されたサーバにおいて提供される、請求項１１に記載の方法。
【請求項１３】
前記ルーティングテーブルは、１つまたは複数の前記ＤＲＵにおいて提供される、請求項１１に記載の方法。
【請求項１４】
前記ルーティングテーブルは、マージブロックを含む、請求項１３に記載の方法。
【請求項１５】
各々の前記ＤＲＵにおける各々のキャリアのパワーレベルは、独立して制御される、請求項１０に記載の方法。
【請求項１６】
前記複数のＤＭＵ間で前記デジタル信号をルーティングするステップは、
第１のＢＢＵから受信した第１のデジタル信号および第２のＢＢＵから受信した第２のデジタル信号を順に並べるサブステップと、
前記順に並べたデジタル信号を前記複数のＤＲＵのうちの１つに方向付けるサブステップと、
を含む、請求項１０に記載の方法。
【請求項１７】
互いに結合され複数のＤＭＵ間で信号をルーティングするように動作可能な複数のデジタル・マルチプレクサ・ユニット（ＤＭＵ）であって、前記複数のＤＭＵの各々は、複数のＢＢＵのうちの１つまたは複数からデジタル入力を受信するように動作可能な複数のデジタル入力ポートを含み、前記複数のＢＢＵの各々は、複数のデジタル出力ポートを含む、複数のデジタル・マルチプレクサ・ユニット（ＤＭＵ）と、
互いに結合され複数のＤＡＵ間で信号をルーティングするように動作可能な複数のデジタル・アクセス・ユニット（ＤＡＵ）であって、前記複数のＤＡＵの各々は、複数のＢＴＳのうちの１つまたは複数からアナログＲＦ入力を受信するように動作可能な複数のアナログ入力ポートを含み、前記複数のＢＴＳの各々は、複数のアナログＲＦ出力ポートを含む、複数のデジタル・アクセス・ユニット（ＤＡＵ）と、
前記複数のＤＭＵに結合されＤＲＵとＤＭＵとの間で信号を転送するように動作可能な複数のデジタル・リモート・ユニット（ＤＲＵ）であって、前記複数のＤＲＵの各々は、リモートアンテナを含む、複数のデジタル・リモート・ユニット（ＤＲＵ）と、
を備える、分散型アンテナシステム（ＤＡＳ）。
【請求項１８】
前記ＤＭＵの各々の、前記複数のデジタル入力ポートの各々は、前記複数のＢＢＵのうちの対応するＢＢＵのセクタと関連付けられる、請求項１７に記載の分散型アンテナシステム（ＤＡＳ）。
【請求項１９】
前記複数のＢＴＳの各々の、前記複数のアナログＲＦ出力ポートの各々は、前記複数のＢＴＳのうちの対応するＢＴＳのセクタと関連付けられる、請求項１７に記載の分散型アンテナシステム（ＤＡＳ）。
【請求項２０】
前記ＢＢＵのうちの１つの前記複数のデジタル出力ポートであって、そのうちの１つは、光ファイバを用いて前記ＤＭＵの前記複数のデジタル入力ポートのうちの１つに接続される、請求項１７に記載の分散型アンテナシステム（ＤＡＳ）。
【発明の詳細な説明】
【技術分野】
【０００１】
関連出願の相互参照
[0001]本出願は、その開示がすべての目的で全体として参照により本明細書に援用される、「分散型アンテナシステムのデジタルマルチプレクサ（“Ｄｉｇｉｔａｌ  Ｍｕｌｔｉｐｌｅｘｅｒ  ｉｎ  ａ  Ｄｉｓｔｒｉｂｕｔｅｄ  Ａｎｔｅｎｎａ  Ｓｙｓｔｅｍ”）」という題の、２０１３年１２月２３日に提出された、米国仮特許出願第６１／９２０，３９７号明細書の優先権を主張する。
【背景技術】
【０００２】
[0002]ワイヤレス・ネットワーク・オペレータおよびモバイル・ネットワーク・オペレータは、高いデータ−トラフィック成長速度を効果的に管理するネットワークを構築するという継続的な課題に直面している。移動性およびエンドユーザのためのより高いレベルのマルチメディアコンテンツは、新たなサービスと、ブロードバンドおよび定額インターネットアクセスへのより大きい要求との両方をサポートする終端間ネットワーク適合を必要とする。ネットワークオペレータが直面する最も困難な課題の１つは、１つの場所から別の場所への加入者の物理的な移動によって、特にワイヤレス加入者が１つの場所に大勢集まるときにもたらされる。顕著な例は、多数のワイヤレス加入者が建物内のカフェテリアの場所を訪れる、ランチタイム中の企業施設である。その時、多数の加入者は、加入者のオフィスおよび通常の仕事場から離れている。ランチタイム中、ほとんど加入者がいない多くの場所が施設全体に存在する可能性が高い。屋内ワイヤレス・ネットワーク・リソースが、加入者が加入者の通常の仕事場にいる通常の仕事時間中の場合のように加入者負荷に対して設計工程中に適切にサイズを定められた場合、ランチタイムシナリオは、利用可能なワイヤレス容量およびデータスループットに関して予期しない課題を呈することになる可能性が非常に高い。
【発明の概要】
【発明が解決しようとする課題】
【０００３】
[0003]これらの問題に対処するために、分散型アンテナシステム（ＤＡＳ：Ｄｉｓｔｒｉｂｕｔｅｄ  Ａｎｔｅｎｎａ  Ｓｙｓｔｅｍ）が開発され配置されている。ＤＡＳによってなされた進歩にもかかわらず、ＤＡＳに関連した改善された方法およびシステムが当該技術分野で必要である。
【課題を解決するための手段】
【０００４】
[0004]本発明は、一般に、分散型ワイヤレスネットワークの一部として分散型アンテナシステム（ＤＡＳ）を使用するワイヤレス通信システムに関する。より具体的には、本発明は、ソフトウェア無線（ＳＤＲ：ｓｏｆｔｗａｒｅ  ｄｅｆｉｎｅｄ  ｒａｄｉｏ）を利用するＤＡＳに関する。ワイヤレス・ネットワーク・オペレータおよびモバイル・ネットワーク・オペレータは、高いデータ−トラフィック成長速度を効果的に管理するネットワークを構築するという継続的な課題に直面している。移動性およびエンドユーザのためのより高いレベルのマルチメディアコンテンツは、通常、新たなサービスならびにブロードバンドおよび定額インターネットアクセスへのより大きい要求をサポートする終端間ネットワーク適合を使用する。分散型アンテナシステム（ＤＡＳ）は、所与の地理的な区域に分散されるさまざまなアンテナに信号をルーティングするための機構を提供する。信号は通常、ＲＦ周波数で、同じく基地局と呼ばれる、ベース・トランシーバ・ステーション（ＢＴＳ：ｂａｓｅ  ｔｒａｎｓｃｅｉｖｅｒ  ｓｔａｔｉｏｎ）から、またはベースバンドユニット（ＢＢＵ：Ｂａｓｅｂａｎｄ  Ｕｎｉｔ）からデジタル方式で発生する。ＢＢＵは分散型基地局システムの一部であり、無線ユニット（ＲＵ：Ｒａｄｉｏ  Ｕｎｉｔ）はＢＢＵから物理的に分離される。この種類の分散型アーキテクチャは、ネットワーキングの柔軟性を増加させ、ネットワークを維持するコストを減少させることができる。ＢＢＵとＲＵとの間のいくつかの一般的なインタフェース規格は、ＯＢＳＡＩ（Ｏｐｅｎ  Ｂａｓｅ  Ｓｔａｔｉｏｎ  Ａｒｃｈｉｔｅｃｔｕｒｅ  Ｉｎｉｔｉａｔｉｖｅ）およびＣＰＲＩ（Ｃｏｍｍｏｎ  Ｐｕｂｌｉｃ  Ｒａｄｉｏ  Ｉｎｔｅｒｆａｃｅ）である。セル方式のペイロードデータは、高いデータ速度で、複数のＢＢＵとＲＵとの間で転送される。ＢＢＵフレームデータは、ペイロードＩＱデータ、制御および管理（Ｃ＆Ｍ）情報、搬送周波数、信号帯域などで構成される。ベースバンドでのＢＢＵと、ＲＦでのＢＴＳとの両方の間でインタフェース接続する一般的なＤＡＳプラットフォームは、分散型アンテナ・システム・アーキテクチャを簡単にすることになる。
【０００５】
[0005]本発明の一実施形態によれば、分散型アンテナシステム（ＤＡＳ）において信号をルーティングするシステムが提供される。システムは、１つまたは複数のベース・バンド・ユニット（ＢＢＵ：Ｂａｓｅ  Ｂａｎｄ  Ｕｎｉｔ）を含む。１つまたは複数のＢＢＵの各々は、１つまたは複数のデジタル出力を有する。システムは、互いに結合され複数のＤＭＵ間で信号をルーティングするように動作可能な複数のデジタル・マルチプレクサ・ユニット（ＤＭＵ：Ｄｉｇｉｔａｌ  Ｍｕｌｔｉｐｌｅｘｅｒ  Ｕｎｉｔ）を同様に含む。複数のＤＭＵの各々は、１つまたは複数のＢＢＵから１つまたは複数のデジタル入力を受信するように動作可能である。システムは、複数のＤＭＵに結合され複数のＤＲＵと複数のＤＭＵのうちの１つまたは複数との間で信号を転送するように動作可能な複数のデジタル・リモート・ユニット（ＤＲＵ：Ｄｉｇｉｔａｌ  Ｒｅｍｏｔｅ  Ｕｎｉｔ）をさらに含む。
【０００６】
[0006]本発明の別の実施形態によれば、複数のデジタル・マルチプレクサ・ユニット（ＤＭＵ）および複数のデジタル・リモート・ユニット（ＤＲＵ）を含む分散型アンテナシステム（ＤＡＳ）において信号をルーティングする方法が提供される。方法は、１つまたは複数のベース・バンド・ユニット（ＢＢＵ）のセクタポートからのデジタル信号を、複数のＤＭＵのポートで、受信するステップを含む。方法は、複数のＤＭＵ間でデジタル信号をルーティングするステップと、複数のＤＭＵと複数のＤＲＵとの間でデジタル信号を転送するステップを同様に含む。
【０００７】
[0007]本発明の特定の実施形態によれば、分散型アンテナシステム（ＤＡＳ）が提供される。ＤＡＳは、互いに結合され複数のＤＭＵ間で信号をルーティングするように動作可能な複数のデジタル・マルチプレクサ・ユニット（ＤＭＵ）を含む。複数のＤＭＵの各々は、複数のＢＢＵのうちの１つまたは複数からデジタル入力を受信するように動作可能な複数のデジタル入力ポートを含む。複数のＢＢＵの各々は、複数のデジタル出力ポートを含む。ＤＡＳは、互いに結合され複数のＤＡＵ間で信号をルーティングするように動作可能な複数のデジタル・アクセス・ユニット（ＤＡＵ：Ｄｉｇｉｔａｌ  Ａｃｃｅｓｓ  Ｕｎｉｔ）を同様に含む。複数のＤＡＵの各々は、複数のＢＴＳのうちの１つまたは複数からアナログＲＦ入力を受信するように動作可能な複数のアナログ入力ポートを含む。複数のＢＴＳの各々は、複数のアナログＲＦ出力ポートを含む。ＤＡＳは、複数のＤＭＵに結合されＤＲＵとＤＭＵとの間で信号を転送するように動作可能な複数のデジタル・リモート・ユニット（ＤＲＵ）をさらに含み、複数のＤＲＵの各々はリモートアンテナを含む。
【０００８】
[0008]本発明の特定の実施形態によれば、分散型アンテナシステムにおいて信号をルーティングするシステムが提供される。システムは、複数のデジタル・マルチプレクサ・ユニット（ＤＭＵ）を含む。複数のＤＭＵは、結合され、複数のＤＭＵ間で信号をルーティングするように動作可能である。システムは、複数のＤＭＵに結合されＤＲＵとＤＭＵとの間で信号を転送するように動作可能な複数のデジタル・リモート・ユニット（ＤＲＵ）、複数のＤＭＵへのデジタル接続を有し複数のＤＭＵと複数のデジタル接続との間で信号をルーティングするように動作可能な複数のベース・バンド・ユニット（ＢＢＵ）を同様に含む。
【０００９】
[0009]従来の技法に関して本発明を通して多数の便益が達成される。例えば、本発明の実施形態は、減少されたハードウェア要件（例えば、ＢＴＳにおける無線ユニットおよびＤＡＵにおける無線ユニット）でシステム要素を利用する方法およびシステムを提供し、それによりシステムコストを減少させ、システム電力消費量を減少させ、そしてシステムサイズを減少させる。さらに、本明細書で説明する実施形態は、ＲＦからデジタルへの変換およびデジタルからＲＦへの変換を行う要件を減少させまたは取り除き、それにより信号劣化を減少させる。多くのその利点および特徴とともに、本発明のこれらのおよび他の実施形態は、以下の文章および付属する図に関連してより詳細に説明される。
【００１０】
[0010]本発明のさらなる目的および利点は、添付の図面に関連してなされる次の詳細な説明から完全に理解することができる。
【図面の簡単な説明】
【００１１】
【図１】基本構造ならびに３個のＤＭＵおよび各々のセルに対して互いにデイジーチェーン接続された７個のＤＲＵとともに単一の３セクタＢＢＵを有することに基づく転送ルーティングの実施例を示す、本発明の１つの実施形態によるブロック図である。
【図２】Ｎ＝１の周波数再利用パターンに対する基本構造ならびに３個のＤＭＵおよび各々のセルに対して互いにデイジーチェーン接続された７個のＤＲＵとともに単一の３セクタＢＢＵを有することに基づく転送ルーティングの実施例を示す、本発明の１つの実施形態によるブロック図である。
【図３】基本構造ならびに３個のＤＭＵおよび各々のセルに対して互いにデイジーチェーン接続された７個のＤＲＵとともに多数の３セクタＢＢＵを有することに基づく転送ルーティングの実施例を示す、本発明の１つの実施形態によるブロック図である。
【図４】本発明の一実施形態による物理ノードおよびローカルルータを包含するデジタル・アクセス・ユニット（ＤＡＵ）のブロック図である。
【図５】本発明の一実施形態によるデジタル・リモート・ユニット（ＤＲＵ）のブロック図である。
【図６】本発明の一実施形態による、多数のローカルルータ（ＤＭＵおよびＤＡＵ）が多数のリモートルータと相互接続される典型的なトポロジを描写する。
【図７】ＤＡＵへのＢＴＳとＤＭＵへのＢＢＵとの間の相互接続のブロック図を示す。
【図８】本発明の一実施形態によるデジタル・マルチプレクサ・ユニット（ＤＭＵ）のブロック図である。
【図９】本発明の一実施形態によるＤＡＳにおける信号をルーティングする方法を例示する単純化されたフローチャートである。
【発明を実施するための形態】
【００１２】
[0020]分散型アンテナシステム（ＤＡＳ）は、基地局リソースの利用の効率的な手段を提供する。ＤＡＳと関連付けられた基地局は、基地局ホテルとして一般に知られる中心的な場所および／または施設に設置することができる。従来のＤＡＳネットワークは、基地局とデジタル・リモート・ユニット（ＤＲＵ）との間でインタフェースとして機能する１つまたは複数のデジタル・アクセス・ユニット（ＤＡＵ）を含む。ＤＡＵは、基地局と併置することができる。ＤＲＵは、互いにデイジーチェーン接続、および／または星状構成で設置することができ、所与の地理的な区域に対してカバレッジを提供することができる。ＤＲＵは通常、高速光ファイバリンクを使用することによってＤＡＵと接続される。この手法は、基地局から遠隔地またはＤＲＵによってサービスされる区域へのＲＦ信号の転送を容易にする。典型的な基地局は、セクタとして一般に知られる、３つの独立した無線リソースを備える。これらの３つのセクタは通常、３つの異なったセクタでユーザ間の同一チャネル干渉を作り出すことなく３つの別個の地理的な区域をカバーするために用いられる。
【００１３】
[0021]分散型基地局アーキテクチャは、ベース・バンド・ユニット（ＢＢＵ）および多くの遠隔に設置した無線ユニット（ＲＵ）の使用を伴う。ＢＢＵをＲＵにインタフェース接続するために多くの規格が存在し、いくつかの例はＯＢＳＡＩ（Ｏｐｅｎ  Ｂａｓｅ  Ｓｔａｔｉｏｎ  Ａｒｃｈｉｔｅｃｔｕｒｅ  Ｉｎｉｔｉａｔｉｖｅ）およびＣＰＲＩ（Ｃｏｍｍｏｎ  Ｐｕｂｌｉｃ  Ｒａｄｉｏ  Ｉｎｔｅｒｆａｃｅ）である。慣例上、分散型基地局アーキテクチャおよび分散型アンテナシステム（ＤＡＳ）は、同じシステムで共存しない。通常、分散型基地局アーキテクチャは、ベンダ固有のインフラストラクチャを伴い、遠隔無線ユニット共有に対応できない。これは、会場が空間上の制約、審美上の制約などの問題点のためにアンテナおよび無線ユニットの数を制限する要件を有するとき、問題となる。インフラストラクチャ共有は、所与の屋外または屋内の会場で番号可視のベンダ固有のユニットを減少させる手段である。分散型アンテナシステムは、好ましくは、すべての異なるベンダ固有のインタフェースに対応するためにベンダおよび変調非依存型である。ＲＦでさまざまなベンダＢＴＳからの信号を捕捉することは、ＤＡＳシステムが非依存型になることを確実にする手段である。しかしながら、有効なＤＡＳシステムは、ＲＦ信号をデジタル化し、リモートユニットにそれらを転送することになり、リモートユニットでそれらは変換されＲＦに戻ることになる。デジタル・アクセス・ユニット（ＤＡＵ）は、さまざまなＢＴＳからのＲＦ信号を受け入れるホストユニットである。
【００１４】
[0022]ＢＴＳは、ＢＢＵおよび併置された無線ユニットを含む。多数のベンダＢＴＳのさまざまな無線ユニットは、ＲＦでＤＡＵにインタフェース接続する。より効率的なプロセスは、ベンダＢＢＵに直接デジタル方式でインタフェース接続するデジタル・マルチプレクサ・ユニット（ＤＭＵ）を利用することになる。このアーキテクチャは、信号をＲＦに変換し、そして次にＤＡＵに信号をデジタルベースバンドに変換して戻す、ＢＴＳの要件を除去することになる。実質的な効果は、この付加的なステップの電力消費量を減少させることに加えて、変換プロセスを通して起こる任意の障害を取り除くことになる。このＤＭＵは、さまざまなベンダＢＢＵにインタフェース接続することが可能になる。ＤＭＵは、別の重要な機能を果たす。ＤＭＵは、さまざまなオペレータチャネルをさまざまなリモートユニットに送られる単一のデータストリーム上に順に並べる。リモートユニット無線チャネルは、さまざまなオペレータ間で共有される。ＤＭＵにおいて逆の動作が起こることになり、それによって、さまざまなリモートユニットからの受信されたアップリンク信号は、ＤＭＵに転送され戻り、そして次に特定のＢＢＵに分配される。ＤＭＵのさらなる特徴は、システムがＲＦインタフェースを必要とする旧式のＢＴＳ機器を持つとき、ＤＭＵがＤＡＵにインタフェース接続することができることである。
【００１５】
[0023]図１に示された実施形態は、本発明の一実施形態による基本的なＤＡＳネットワークアーキテクチャを例示し、３セクタＢＢＵと多数のＤＲＵとの間のデータ転送シナリオの例を提供する。この実施形態において、ＤＲＵは、特定の地理的な区域でカバレッジを達成するために互いにデイジーチェーン接続される。各々の個別のセクタは、セルとして識別される、独立した地理的な区域をカバーする。
【００１６】
[0024]図１は、多数のデジタル・リモート・ユニット（ＤＲＵ）および多数のデジタル・マルチプレクサ・ユニット（ＤＭＵ）を使用するＤＡＳシステムを描写する。本発明によれば、各々のＤＲＵは、その特定のデジタル・リモート・ユニットによって受信されたアップリンクデータを一意的に識別する、各々のＤＲＵと関連付けられた一意的なヘッダ情報を提供する。
【００１７】
[0025]本発明の実施形態の１つの特徴は、ＤＲＵまたはＤＲＵの群の間で基地局無線リソースをルーティングする能力である。１つまたは複数の基地局から入手可能な無線リソースをルーティングするために、ＤＡＳネットワークにおけるＤＭＵおよびＤＲＵの個別のルータテーブルを構成することが望ましい。
【００１８】
[0026]ＤＭＵ１０２、１０８、および１１１は、多数のＤＭＵの間でＤＲＵ信号のルーティングを容易にするために互いにネットワーク化される。ＤＭＵは、ＢＢＵとＤＲＵとの間でＲＦダウンリンク信号およびＲＦアップリンク信号の転送をサポートする。このアーキテクチャは、さまざまなベース・バンド・ユニット信号を、多数のＤＲＵに、および多数のＤＲＵから、同時にまたは並行して転送することを可能にする。ピアポートは、いくつかの実施形態において、ＤＭＵを相互接続しＤＲＵを相互接続するために用いられる。
【００１９】
[0027]ＤＭＵは、ＤＭＵとそのＤＭＵに接続されたベース・バンド・ユニットとの間で転送されるダウンリンク信号およびアップリンク信号の利得を（広い範囲にわたって小さい増加で）制御する性能を有する。この性能は、特定のＤＲＵ（または関連ＤＭＵを介したＤＲＵの群）と特定のベース・バンド・ユニット・セクタとの間の経路のアップリンクおよびダウンリンク接続性を同時に制御するための柔軟性を提供する。
【００２０】
[0028]本発明の実施形態は、ネットワーク化されたＤＭＵを構成するためにルータテーブルを用いる。ローカル・ルータ・テーブルは、さまざまな出力に対する入力のマッピングを確立する。内部のマージブロックは、外部ポートおよびピアポートからの入力を同じデータストリームにマージする必要があるとき、ダウンリンクテーブルのために利用される。同様に、マージブロックは、ＬＡＮポートおよびピアポートからの入力を同じデータストリームにマージする必要があるとき、アップリンクテーブルで使用される。
【００２１】
[0029]リモート・ルータ・テーブルは、入力のさまざまな出力へのマッピングを確立する。内部のマージブロックは、ＬＡＮポートおよびピアポートからの入力を同じデータストリームにマージする必要があるとき、ダウンリンクテーブルのために利用される。同様に、マージブロックは、外部ポートおよびピアポートからの入力を同じデータストリームにマージする必要があるとき、アップリンクテーブルで用いられる。
【００２２】
[0030]図１に示すように、個別のベース・バンド・ユニット・セクタの無線リソースは、ＤＲＵのデイジーチェーン接続されたネットワークに転送される。各々の個別のセクタの無線リソースは、ネットワーク化されたＤＲＵを介して、独立した地理的な区域にカバレッジを提供する。図１は、各々７個のＤＲＵの独立したネットワークを含む３つのセルが、どのように所与の地理的な区域にカバレッジを提供するかを明示する。サーバ１１２は、ＤＡＳネットワークにおいて提供されるスイッチング機能を制御するために利用される。図１を参照すると、例として、ＤＭＵ１（１０２）は、ＢＢＵセクタ１（１０１）からデジタルダウンリンク信号を受信する。ＤＭＵ１は、他のＤＭＵからのベースバンド信号をシリアルストリーム上に順に並べ、光ファイバケーブル１２３は、望ましいデジタル信号をＤＲＵ２（１０４）に転送する。光ケーブル１０５は、すべてのデジタル光信号をＤＲＵ３（１０６）に転送する。デイジーチェーンの他のＤＲＵは、ＤＲＵ１（１０７）に向かって光信号を渡すことに関与している。したがって、本発明の実施形態は、基地局のＢＢＵの複数のセクタ（例えば、セクタ１（１０１）、セクタ２（１０９）、セクタ３（１１０））からデジタル信号を受信する能力を提供する。デジタル信号は、デジタル信号がＤＭＵ間でルーティングされ得るように、互いに接続されサーバ１１２によって制御される、１つまたは複数のＤＭＵによって受信される。ＤＭＵで処理され得る、デジタル信号は、それから、図１でＤＲＵ１からＤＲＵ２１によって例示される、デジタル・リモート・ユニットにルーティングされる。
【００２３】
[0031]ＤＭＵ１（１０２）は、セクタ２（１０９）およびセクタ３（１１０）からのダウンリンク信号をセル１のすべてのＤＲＵに転送することを可能にするために、ＤＭＵ２（１０８）およびＤＭＵ３（１１１）とネットワーク化される。システムのスイッチング機能およびルーティング機能は、どのセクタの信号が各々のＤＲＵによって送信および受信されるかの選択を可能にする。ＤＭＵ２（１０８）は、光ケーブル１２４を用いてセル３（ＤＲＵ１５〜２１）に接続され、ＤＭＵ３（１１１）は、光ケーブル１２５を用いてセル２（ＤＲＵ８〜１４）に接続される。
【００２４】
[0032]ＤＭＵは、他の通信媒体を用いることができるが、例えば、光ファイバを通して、ベース・バンド・ユニットからデジタル信号を受信するので、ＤＭＵは、受信したデジタル信号を処理し、ユーザにＲＦ信号として一斉送信するためにＤＲＵにデジタル信号を送信することが可能である。本発明の実施形態は、デジタル信号を受信および送信することを論じるが、同じくデジタル信号と呼ぶことができる、受信デジタル信号の処理バージョンを送信することができるので、これらのデジタル信号が同一であることは必要ではない。例として、デジタル信号は、ＤＭＵ２（１０８）を通してセクタ２（１０９）からと同様、セクタ１（１０１）からＤＭＵ１（１０２）で受信することができる。これらのデジタル信号は、セル１に転送するために単一のデジタル信号に結合することができる。したがって、本明細書および特許請求の範囲は、通信プロセスのさまざまな段階におけるデジタル信号に言及するが、これらのデジタル信号が同一であることは必要とされない。当業者は多くの変化形、改良、および代替物を認識するであろう。
【００２５】
[0033]図１に例示するように、ＤＭＵは、ＢＢＵのセクタからデジタル信号を受信し、そして次にそれらのデジタル信号をさまざまなＤＲＵに方向付ける。本発明の実施形態は、例えば、ＢＢＵから、デジタル信号を受信すること、および、例えば、ＤＭＵを通して、ＤＲＵにデジタル信号を送信することを論じるが、ＤＲＵに送信されるデジタル信号は、ＢＢＵから受信されるデジタル信号と同一でなくてもよいことに留意されたい。例として、上で論じたように、多数のセクタからの多数の信号は、ＤＲＵに結合された信号を送信するためにＤＭＵで結合することができる。ＤＡＳに関連したさらなる説明は、その開示がすべての目的で全体として参照により本明細書に援用される、２０１４年５月９日に公表された、米国特許出願公開第２０１３／０１１４９６３号明細書（代理人整理番号第９１１７２−８５６３０９（１０２８００ＵＳ）号）で提供される。
【００２６】
[0034]図２は、Ｎ＝１の周波数再利用パターンが用いられるとき、より大きい地理的な区域に対してカバレッジを提供するために単一のＢＢＵをどのように用いることができるかを例示する実施形態を示す。図２を参照して、セル１およびセル８は、ＢＢＵのセクタ１（２０１）の無線リソースを共有することになる。同様に、それぞれ、光ケーブル２３１および２３２を介してＤＭＵ２１４に接続される、セル２およびセル１０は、セクタ３（２１６）の無線リソースを共有することになる。
【００２７】
[0035]ＤＭＵは、ＢＢＵとＤＲＵとの間のデータのルーティングを制御する。各々の個別のデータパケットは、それがどのＤＲＵに関連付けられているかを一意的に識別するヘッダを備える。ＤＭＵは、多数のＤＭＵの間でデータの転送を可能にするために、例えば、光ファイバを用いて、相互接続される。この特徴は、ＢＢＵのセクタと個別のＤＲＵとの間で信号をルーティングするために、ＤＡＳネットワークで一意的な柔軟性を提供する。サーバ２２０は、ＤＡＳネットワークにおいて提供されるスイッチング機能を制御するために利用される。
【００２８】
[0036]図２を参照すると、例として、ＤＭＵ１（２０２）は、ＢＢＵ１セクタ１（２０１）からダウンリンク信号を受信する。ＤＭＵ１は、他のＤＭＵからのベースバンド信号をシリアルストリーム上に順に並べ、光ファイバケーブル２０３は望ましい信号をセル１のＤＲＵ２（２０４）に転送する。光ケーブル２０５は、すべての光信号をＤＲＵ３（２０６）に転送する。デイジーチェーンの他のＤＲＵは、ＤＲＵ１（２０７）に向かって光信号を渡すことに関与している。ＤＭＵ１（２０２）は、セクタ２およびセクタ３からのダウンリンク信号をセル１のすべてのＤＲＵに転送することを可能にするために、ＤＭＵ２（２０８）およびＤＭＵ３（２１４）とネットワーク化される。
【００２９】
[0037]同様にセル８に対して、光ファイバケーブル２０９は、ＤＭＵ１（２０２）からＤＲＵ２３（２１０）に望ましい信号を転送する。光ケーブル２１１は、すべての光信号をＤＲＵ２４（２１２）に転送する。セル８におけるデイジーチェーンの他のＤＲＵは、ＤＲＵ２２（２１３）に向かって光信号を渡すことに関与している。周波数の再利用のために、ＤＭＵ１（２０２）は、ＤＭＵの多数の光出力に接続された多数の光ケーブルを介して、図２で例示されるように星状構成の多数のセルに信号を渡すことが可能である。
【００３０】
[0038]図３は、所与の地理的な区域にサービスするためにＮ個のＢＢＵが相互接続されるＢＢＵホテルを使用する適用例を例示する実施形態を示す。ＢＢＵは、独立したワイヤレス・ネットワーク・オペレータおよび／または多数のインタフェース規格（ＣＰＲＩ、ＯＢＳＡＩ、など）を表すことができる。図３に例示されるように、多数の３セクタＢＢＵは、デイジーチェーン接続されたＤＡＳネットワークに接続され、各々のＤＭＵが多数の光入力および所与のセルに接続された単一の光出力を利用する。したがって、異なるオペレータまたは異なるバンドは、ＢＢＵの異なるセクタによって表すことができる。明確化のために図３では例示されないが、ＤＭＵは、図２で例示される多数の出力と同様に、図３で例示される多数の入力を有することができる。したがって、異なるＢＢＵからの多数のデジタル入力が受信される多入力アプリケーションおよび多数のデジタル出力がＤＭＵで提供される多出力アプリケーションは、本発明の範囲内に含まれる。
【００３１】
[0039]図３を参照すると、例として、ＤＭＵ１（３０２）は、ＢＢＵセクタ１（３０１）からダウンリンク信号を受信する。ＤＭＵ１（３０２）は、望ましい信号をＤＲＵ２（３０４）に転送する。光ケーブル３０５は、すべての光信号をＤＲＵ３（３０６）に転送する。デイジーチェーンの他のＤＲＵは、ＤＲＵ１（３０７）に向かって光信号を渡すことに関与している。ＤＭＵ１（３０２）は、ＢＢＵ１セクタ２（３２０）からのダウンリンク信号をセル１のすべてのＤＲＵに転送することを可能にするために、ＤＭＵ２（３０８）とネットワーク化される。ＤＭＵ１（３０２）は、ＢＢＵセクタＮ（３０９）からダウンリンク信号を受信する。ＤＭＵ１（３０２）は、さまざまなＢＢＵおよびＤＭＵからのすべてのダウンリンク信号を順に並べる。
【００３２】
[0040]有限のＢＢＵリソースを効率的に利用するために、ＤＲＵのネットワークは、それらの個別のアップリンク信号およびダウンリンク信号をＢＢＵセクタのいずれかに、およびＢＢＵセクタのいずれかから、リダイレクトする性能を有するべきである。ＤＲＵデータトラフィックは、一意的なストリームを有するので、ＤＭＵルータは、異なるＢＢＵに信号をルーティングする機構を有する。
【００３３】
[0041]図４は、ＤＡＵにおける２つの主要な要素、物理ノード（４００）およびローカルルータ（４０１）を示す。物理ノードは、ＲＦ信号をダウンリンク用のベースバンドに、そしてベースバンドからアップリンク用のＲＦに変換する。ローカルルータは、さまざまなＬＡＮポート、ピアポートおよび外部ポートの間でトラフィックを方向付ける。物理ノードは、無線周波数（ＲＦ）でＢＴＳに接続される。物理ノードは、異なるオペレータ、異なる周波数バンド、異なるチャネル、などに対して使用することができる。物理ノードは、デュプレクサを介してダウンリンク信号とアップリンク信号を結合することができ、または物理ノードは、単信構成に対する場合のように、ダウンリンク信号とアップリンク信号を別個の状態に保つことができる。図８に例示されるＤＭＵと比較すると、いくつかの実施形態において、図８に例示されるＤＭＵでは、物理ノード４００が利用されない。
【００３４】
[0042]図４は、物理ノードがアップリンク（４０５）用の別個の出力およびダウンリンク経路（４０４）用の別個の入力を有する、ＤＡＵの実施形態を示す。物理ノードは、ＲＦからダウンリンク経路用のベースバンドに、そしてベースバンドからアップリンク経路用のＲＦに、信号を変換する。物理ノードは外部ポート（４０９、４１０）を介してローカルルータに接続される。ルータは、ＬＡＮポートおよびピアポートからのアップリンク・データ・ストリームを選択された外部Ｕ（アップリンク）ポートに方向付ける。同様に、ルータは、外部Ｄ（ダウンリンク）ポートからのダウンリンク・データ・ストリームを選択されたＬＡＮポートおよびピアポートに方向付ける。
【００３５】
[0043]１つの実施形態において、ＬＡＮポートおよびピアポートは、ＤＭＵおよびＤＲＵのネットワークに光ファイバを介して接続される。ネットワーク接続は、ＣＡＴ５または６のケーブル配線などの銅配線、または他の適切な相互接続機具を同様に使用することができる。ＤＡＵは、ＩＰ（４０６）を用いてインターネットネットワークに同様に接続される。イーサネット（登録商標）接続（４０８）は、ホストユニットとＤＡＵとの間で通信するために同様に使用される。ＤＲＵは同様に、イーサネット（登録商標）ポートを介して遠隔動作制御センタ（４０７）に直接接続することができる。ＤＡＵに関連したさらなる説明は、米国特許出願公開第２０１３／０１１４９６３号明細書で提供され、上記の参照により援用される。
【００３６】
[0044]図５は、ＤＲＵにおける２つの主要な要素、物理ノード（５０１）およびリモートルータ（５００）を示す。ＤＲＵは、リモートルータおよび物理ノードの両方を含む。リモートルータは、ＬＡＮポート、外部ポートおよびピアポートの間でのトラフィックを方向付ける。物理ノードは、無線周波数（ＲＦ）でＢＴＳに接続される。物理ノードは、異なるオペレータ、異なる周波数バンド、異なるチャネル、などに対して用いることができる。図５は、物理ノードがアップリンク（５０４）用の別個の入力およびダウンリンク経路（５０３）用の別個の出力を有する実施形態を示す。物理ノードは、ＲＦからアップリンク経路用のベースバンドに、そしてベースバンドからダウンリンク経路用のＲＦに、信号を変換する。物理ノードは外部ポート（５０６、５０７）を介してリモートルータに接続される。ルータは、ＬＡＮポートおよびピアポートからのダウンリンク・データ・ストリームを、選択された外部Ｄポートに方向付ける。同様に、ルータは、外部Ｕポートからのアップリンク・データ・ストリームを、選択されたＬＡＮポートおよびピアポートに方向付ける。ＤＲＵは、リモートコンピュータまたはワイヤレス・アクセス・ポイントがインターネットに接続できるように、イーサネット（登録商標）スイッチ（５０５）を同様に含む。ＤＲＵに関連したさらなる説明は、米国特許出願公開第２０１３／０１１４９６３号明細書で提供され、上記の参照により援用される。
【００３７】
[0045]図６は、ＤＭＵおよびＤＡＵネットワークトポロジにおいて多数のＤＭＵ、１つまたは複数のＤＡＵ、ならびに多数のＤＲＵを含む、ＤＡＳネットワークを描写する。ＤＭＵ  ＡおよびＤＭＵ  Ｂ、ならびにＤＡＵ  Ｌで例示される、ローカルルータは、デイジーチェーン構成で示される。明確化のために単一のＤＡＵが例示されるが、この実装においてさらなるＤＡＵが利用され得る。ＤＲＵ６０１、６０５、６０６、６０７、および６０９の一部によって例示される、リモートルータは、星状および／またはデイジーチェーン構成で示される。図５と比較すると、リモートルータ６０１Ａおよび物理ノード６０１Ｂは、両方ともＤＲＵの構成要素であることが分かる。光ケーブル６１７および６２０で例示されるように、ＤＭＵおよびＤＡＵにおけるローカルルータは、ピアポートを介して相互接続することができる。ローカルルータは、光、銅、または他の適切な接続を介して、ＤＲＵにおけるリモートルータに接続することができる。ＤＲＵにおけるリモートルータは、他のＤＲＵとデイジーチェーン構成で接続することができ、または、それらは星状構成を介してローカルルータと接続してもよい。ＤＭＵにおけるピアポートは、ローカルルータ（例えば、ＤＭＵ）に接続された物理ノードとリモートルータ（例えば、ＤＲＵ）に接続された物理ノードとの間に直接接続がないときに用いられる。ＤＲＵでのピアポートは、２つ以上のＤＲＵの間でデイジーチェーン接続するために用いられる。ＤＭＵ６００／６０４は、光ケーブル６３０／６３２を介してＢＢＵネットワーク６３１／６３３からデジタル信号を受信する。ＤＭＵ６００は、光ケーブル６１５および６１６を介してＤＲＵ６０１に接続される。ＤＲＵ６０１は、光ケーブル６１９Ａおよび６１９Ｂを介してＤＲＵ６０５に接続される。ＤＭＵ６０４は、光ケーブル６１８および６２１を用いて星状構成でＤＲＵ６０６および６０７に接続される。ＤＡＵ６０８は、光ケーブル６２２を介してＤＲＵ６０９に接続される。
【００３８】
[0046]図７は、所与の地理的な区域にサービスするために多数のＢＴＳおよびＢＢＵが相互接続され得る基地局／ベース・バンド・ユニット・ホテルを使用する適用例を例示する実施形態を示す。当業者には明白であるように、図６および図７は、デジタル信号がＢＢＵから光ケーブルを介してＤＭＵ６００／６０４によって受信され、ＲＦ信号がＢＴＳからＲＦケーブルを介してＤＡＵ６０８によって受信される、関連したネットワークトポロジの実例を提供する。図７に例示される実施形態において、１つまたは複数の３セクタＢＴＳおよび１つまたは複数の３セクタＢＢＵは、デイジーチェーン接続されたＤＡＳネットワークに接続することができる。ＢＢＵは、独立したワイヤレス・ネットワーク・オペレータ、多数のバンド、および／または多数のインタフェース規格（ＣＰＲＩ、ＯＢＳＡＩ、など）を表すことができる。ＢＴＳは、独立したワイヤレス・ネットワーク・オペレータを表しＲＦでＤＡＵとインタフェース接続することができる。図７を参照すると、例として、ＤＡＵ１（７０２）は、ＲＦケーブル７１１を介してＢＴＳ  Ｎセクタ１（７０９）からダウンリンク信号を受信する。ＤＡＵ１（７０２）は、光ケーブル７０３を介して望ましい信号をＤＲＵ２（７０４）に転送する。光ケーブル７０５は、すべての光信
号をＤＲＵ３（７０６）に転送する。デイジーチェーンの他のＤＲＵは、ＤＲＵ１（７０７）に向かって光信号を渡すことに関与している。ＤＡＵ１（７０２）は、ＢＴＳ  Ｎセクタ２からのダウンリンク信号をセル１のすべてのＤＲＵに転送することを可能にするために、ＤＡＵ２（７０８）とネットワーク化される。ＤＡＵ２（７０８）は、ＲＦケーブル７３２を介してＢＴＳセクタ２（７３１）からダウンリンク信号を受信するのと同様に、ＤＡＵ１を介してＢＴＳセクタＮ（７０９）からダウンリンク信号を受信する。
【００３９】
[0047]ＤＭＵ１（７１２）は、ＢＢＵ１セクタ１（７０１）にインタフェース接続する。ＤＭＵ１は、光ケーブル７４１を介してＤＡＵ３  ７４３に接続される。ＤＡＵのＤＭＵへのネットワーキングは、ＢＴＳからの信号をＢＢＵからの信号とともに順に並べる機構を提供する。したがって、ＢＴＳからのアナログＲＦ信号およびＢＢＵからのデジタル光信号は、図７に例示されるトポロジを用いて望ましいＤＲＵにルーティングすることができる。
【００４０】
[0048]図７に例示するように、ＢＴＳからのアナログ信号およびＢＢＵからのデジタル信号は、それぞれ、ＤＡＵおよびＤＭＵを用いることでＤＡＳネットワークによって受信することができる。したがって、本発明の実施形態によって提供されるＤＡＳシステムは、ＢＴＳからのアナログＲＦ入力と同様にＢＢＵネットワークからのデジタル入力を受信し、そして次にシステムを通してリモートアンテナへそれらの信号を通信することができるので、入力信号非依存型とみなすことができる。もちろん、アップリンク経路において、システムは、リモートアンテナで入力を受信し、そして次にそれらの信号をデジタルまたはアナログフォーマットでＢＢＵまたはＤＡＵに通信することができる。
【００４１】
[0049]図８は、デジタル・マルチプレクサ・ユニット（ＤＭＵ）のブロック図を示す。ＤＭＵ８００は、ルータおよびＢＢＵインタフェースノードの両方を含む。ルータは、ＬＡＮポート、ＢＢＵポートおよびピアポートの間でのトラフィックを方向付ける。ＢＢＵノードは、異なるオペレータＢＢＵ機器のために用いることができる。ルータは、ＬＡＮポートおよびピアポートからのアップリンク・データ・ストリームを、選択されたＢＢＵポートに方向付ける。同様に、ルータは、ＢＢＵポートからのダウンリンク・データ・ストリームを、選択されたＬＡＮポートおよびピアポートに方向付ける。ＢＢＵポートは、その特定のポートに定められたアップリンク信号を、その特定のポートに接続されたＢＢＵによって用いられるインタフェース規格に変換する。同様に、ＢＢＵポートからのダウンリンク信号は、特定のＢＢＵプロトコル規格から、さまざまなダウンリンク信号を順に並べるために用いられる一般的なベースバンド信号に変換される。ＤＭＵは、リモートコンピュータまたはワイヤレス・アクセス・ポイントがインターネットに接続できるように、イーサネット（登録商標）ポート（８０２）を包含する。ＤＭＵのＬＡＮポートは、ＤＭＵに接続されたさまざまなＤＲＵにインタフェース接続する。ピアポートは、他のＤＭＵまたはＤＡＵにインタフェース接続するために用いられる。
【００４２】
[0050]ＤＭＵは、いくつかの点でＤＡＵと異なる。ＤＡＵの場合、基地局へのインタフェースは、ＲＦ、すなわち、ＤＡＵで受信されているアナログＲＦ信号である。基地局は２つのエンティティすなわち、デジタルベースバンド信号処理を行う、ベース・バンド・ユニット（ＢＢＵ）、および、同じく無線ユニットと呼ぶことができる、ＲＦユニットを含むためである。ＤＡＵを用いるシステムにおいて、ＢＢＵは、デジタル信号をＲＦユニットに渡し、ＲＦユニットは、信号をＲＦにアップコンバートして、信号をＤＡＵに提供し、ＤＡＵはそれから、ＲＦ信号をデジタル信号に変換する。本発明の実施形態は、ＢＢＵからデジタル信号を受信するためにＤＭＵを用い、デジタルからＲＦへの変換、そしてそれに続くＲＦからデジタルへの変換のプロセスを取り除く。したがって、実施形態は、ＢＢＵに直接デジタルインタフェースを提供するＤＭＵを用い、それによりＢＴＳの無線ユニットをバイパスし、ＤＡＵに存在するＲＦ部分をバイパスする。
【００４３】
[0051]図１に関連して論じたように、信号処理は、デジタル信号が例えばＬＡＮポート１を通してＤＲＵに送信される前に、例えばＢＢＵポート１で、ＢＢＵから受信したデジタル信号に対して行うことができる。したがって、ＢＢＵポートで受信されるデジタル信号は、ＬＡＮポートで送信されるデジタル信号と同一でなくてもよい。したがって、本明細書中のデジタル信号という用語の使用は、デジタル信号が受信され、ＤＭＵによって処理され、受信および送信されるデジタル信号が同一であることを必要とせず、デジタル信号が送信される実装を含む。当業者は、多くの変化形、改良、および代替物を認識するであろう。
【００４４】
[0052]図８を再び参照すると、入力８０８はＢＢＵネットワークからのデジタル入力であり、出力８０３はＤＲＵへのデジタル出力である。ＢＢＵネットワークからの信号に加えて、ＤＭＵ８００は同様に、インターネット８０５またはＩＰデータの他のソースからＩＰトラフィックを受信することができる。したがって、ＢＢＵネットワークからのセル方式のトラフィックおよびインターネットからのＩＰトラフィックの両方が、図８に例示されるＤＭＵを通して上流および下流の両方に移動することができる。
【００４５】
[0053]図９は、本発明の一実施形態によるＤＡＳにおける信号をルーティングする方法を例示する単純化されたフローチャートである。ＤＡＳは、複数のデジタル・マルチプレクサ・ユニット（ＤＭＵ）および複数のデジタル・リモート・ユニット（ＤＲＵ）を含む。方法は、対応するベース・バンド・ユニット（ＢＢＵ）のセクタポートからのデジタル信号を、複数のＤＭＵのポートで、受信するステップを含む。ＤＭＵのポートは、デジタル光信号とすることができる、デジタル信号を送受信する入力／出力ポートである。ＢＢＵのセクタポートは、ＢＢＵのセクタと関連付けられ、同様に、デジタル光信号とすることができる、デジタル信号を送受信する入力／出力ポートである。
【００４６】
[0054]方法は、複数のＤＭＵ間でデジタル信号をルーティングするステップを同様に含む。本明細書に例示するように、ＤＭＵは、例えば、ピアポートで、光ファイバを用いて、ＤＭＵ間の通信を可能にして、互いに結合される。複数のＤＭＵ間のデジタル信号のルーティングは、第１のＢＢＵから受信した第１のデジタル信号および第２のＢＢＵから受信した第２のデジタル信号を順に並べるサブステップを含み得る。例えば、第１のＢＢＵのセクタ１および第２のＢＢＵのセクタ１と関連付けることができる、デジタル信号は、それから結合された信号としてルーティングすることができる。この実施形態において、順に並べられたデジタル信号は、信号を処理しリモートアンテナを用いて一斉送信することができる複数のＤＲＵのうちの１つに方向付けられる。
【００４７】
[0055]方法は、複数のＤＭＵと複数のＤＲＵとの間でデジタル信号を転送するステップを含む。ＤＭＵおよびＤＲＵの結合は、例えば、光ファイバを用いて、ＢＢＵから受信したデジタル信号をＤＲＵに転送することを可能にし、ＤＲＵで受信した信号をＢＢＵに転送することを可能にする。
【００４８】
[0056]いくつかの実施形態において、ＤＭＵ間でデジタル信号をルーティングするステップは、ルーティングテーブルを用いるサブステップを含む。これらのルーティングテーブルは、複数のＤＭＵに結合されたサーバで、格納または別の方法で提供され得る。別の実装において、ルーティングテーブルは、１つまたは複数のＤＲＵで、格納または別の方法で提供される。ルーティングテーブルは、多数のＤＲＵで受信された信号のマージを容易にするマージブロックを含むことができる。一実施形態において、各々のＤＲＵにおける各々のキャリアのパワーレベルは、独立して制御され、システム性能を改善する。
【００４９】
[0057]図９に例示される具体的なステップは、本発明の一実施形態によるＤＡＳにおける信号をルーティングする特定の方法を提供することを理解されたい。代替の実施形態に従って、他の一連のステップを行ってもよい。例えば、本発明の代替の実施形態は、上に概説したステップを異なる順序で行ってもよい。さらに、図９に例示される個別のステップは、個別のステップに応じて、さまざまなシーケンスで行われ得る多数のサブステップを含んでもよい。そのうえ、特定の適用分野に応じて、さらなるステップを追加または削除してもよい。当業者は多くの変化形、改良、および代替物を認識するであろう。
【００５０】
[0058]本発明のいくつかの実施形態において、ネットワーク化されたＤＡＵを構成するためにルータテーブルを用いる。ローカル・ルータ・テーブルは、入力のさまざまな出力へのマッピングを確立する。内部のマージブロックは、外部ポートおよびピアポートからの入力を同じデータストリームにマージする必要があるとき、ダウンリンクテーブルのために利用される。同様に、マージブロックは、ＬＡＮポートおよびピアポートからの入力を同じデータストリームにマージする必要があるとき、アップリンクテーブルで使用される。
【００５１】
[0059]リモート・ルータ・テーブルは、入力のさまざまな出力へのマッピングを確立する。内部のマージブロックは、ＬＡＮポートおよびピアポートからの入力を同じデータストリームにマージする必要があるとき、ダウンリンクテーブルのために利用される。同様に、マージブロックは、外部ポートおよびピアポートからの入力を同じデータストリームにマージする必要があるとき、アップリンクテーブルで使用される。ルータテーブルに関連したさらなる説明は、米国特許出願公開第２０１３／０１１４９６３号明細書で提供され、上記の参照により援用される。
【００５２】
[0060]例として、特定のＤＭＵ／ＤＲＵまたはＤＭＵ／ＤＲＵの群に割り当てられる無線リソース（ＲＦキャリア、各々のキャリアのパワーレベル、ＬＴＥリソースブロック、ＣＤＭＡコードまたはＴＤＭＡタイムスロットなど）の量は、望ましい容量およびスループット目標またはワイヤレス加入者ニーズを満たすためにソフトウェア制御を介して設定することができる。本発明の適用分野は、分散型基地局、分散型ベースバンドユニット、分散型アンテナシステム、分散型中継器、モバイル機器およびワイヤレスターミナル、携帯型無線装置、ならびにマイクロ波および衛星通信などの他のワイヤレス通信システムで使用するのに適している。
【００５３】
[0061]本明細書で説明した実施例および実施形態は、例示的な目的のためだけものであり、これらを踏まえたさまざまな改良または変更は、当業者に示唆されることになり、本出願の精神および範囲の内に、そして添付の特許請求の範囲の範囲内に含まれるべきであることは、同様に理解される。
【００５４】
[0062]付録Ｉは、本明細書で用いる用語集であり、頭字語を含む。
付録Ｉ
用語集
ＡＣＬＲ  隣接チャネル漏洩比
ＡＣＰＲ  隣接チャネル電力比
ＡＤＣ  アナログ・デジタル・コンバータ
ＡＱＤＭ  アナログ直交復調器
ＡＱＭ  アナログ直交変調器
ＡＱＤＭＣ  アナログ直交復調器コレクタ
ＡＱＭＣ  アナログ直交変調器コレクタ
ＢＰＦ  バンドパスフィルタ
ＣＤＭＡ  符号分割多重アクセス
ＣＦＲ  波高率低減
ＤＡＣ  デジタル・アナログ・コンバータ
ＤＥＴ  検出器
ＤＨＭＰＡ  デジタル・ハイブリッド・モード電力増幅器
ＤＤＣ  デジタル・ダウン・コンバータ
ＤＮＣ  ダウンコンバータ
ＤＰＡ  ドハティ電力増幅器
ＤＱＤＭ  デジタル直交復調器
ＤＱＭ  デジタル直交変調器
ＤＳＰ  デジタル信号処理
ＤＵＣ  デジタル・アップ・コンバータ
ＥＥＲ  包絡線除去・復元（Ｅｎｖｅｌｏｐｅ  Ｅｌｉｍｉｎａｔｉｏｎ  ａｎｄ  Ｒｅ
ｓｔｏｒａｔｉｏｎ）
ＥＦ  包絡線追従
ＥＴ  包絡線追跡
ＥＶＭ  エラーベクトル振幅
ＦＦＬＰＡ  フィードフォワード線形電力増幅器
ＦＩＲ  有限インパルス応答
ＦＰＧＡ  フィールド・プログラマブル・ゲート・アレイ
ＧＳＭ（登録商標）  グローバル・システム・フォー・モバイル・コミュニケーションズ
Ｉ−Ｑ  同相／直交
ＩＦ  中間周波数
ＬＩＮＣ  非線形素子を用いた線形増幅
ＬＯ  局所発信器
ＬＰＦ  ロー・パス・フィルタ
ＭＣＰＡ  マルチキャリア電力増幅器
ＭＤＳ  多方向探索
ＯＦＤＭ  直交周波数分割多重
ＰＡ  電力増幅器
ＰＡＰＲ  ピーク対平均電力比
ＰＤ  デジタル・ベースバンド・プリディストーション
ＰＬＬ  位相ロックループ
ＱＡＭ  直交振幅変調
ＱＰＳＫ  ４位相偏移変調
ＲＦ  無線周波数
ＲＲＨ  リモート無線ヘッド
ＲＲＵ  リモート無線ヘッドユニット
ＳＡＷ  表面弾性波フィルタ
ＵＭＴＳ  ユニバーサル移動体通信システム
ＵＰＣ  アップコンバータ
ＷＣＤＭＡ（登録商標）  広帯域符号分割多重アクセス
ＷＬＡＮ  ワイヤレス・ローカル・エリア・ネットワーク
【図１】
2020018014.tif 000003
【図２】
2020018014.tif 000004
【図３】
2020018014.tif 000005
【図４】
2020018014.tif 000006
【図５】
2020018014.tif 000007
【図６】
2020018014.tif 000008
【図６（Ｃｏｎｔｉｎｕｅｄ）】
2020018014.tif 000009
【図７】
2020018014.tif 000010
【図８】
2020018014.tif 000011
【図９】
2020018014.tif 000012
【手続補正書】
【提出日】令和1年10月30日(2019.10.30)
【手続補正１】
【補正対象書類名】特許請求の範囲
【補正対象項目名】全文
【補正方法】変更
【補正の内容】
【特許請求の範囲】
【請求項１】
分散型アンテナシステムにおいて信号をルーティングするシステムであって、前記システムは、
複数のベース・バンド・ユニット（ＢＢＵ）であって、前記複数のＢＢＵの各々は、１つまたは複数のデジタル出力を有する、複数のＢＢＵと、
デジタル接続を介して互いに直接に結合され、ピアポートを介して複数のデジタル・マルチプレクサ・ユニット（ＤＭＵ）間で信号をルーティングするように動作可能な複数のＤＭＵであって、前記複数のＤＭＵの少なくとも１つは、前記１つまたは複数のＢＢＵから１つまたは複数のデジタル入力を受信するように動作可能である１つまたは複数のデジタル入力ポートおよび、複数のデジタル出力ポートを備える、複数のＤＭＵとを備え、
前記複数のＤＭＵの各々は、前記複数のＤＭＵのいずれか１つで受信した信号を前記複数のＢＢＵの１つから別のＤＭＵにルーティングするように動作可能であり、
前記システムは、
前記複数のデジタル出力ポートの１つを介して前記複数のＤＭＵの少なくとも１つに結合され、複数のデジタル・リモート・ユニット（ＤＲＵ）と前記複数のＤＭＵのうちの１つまたは複数との間で信号を転送するように動作可能な複数のＤＲＵと、
を備える、システム。
【請求項２】
前記１つまたは複数のＢＢＵの各々は、前記１つまたは複数のデジタル出力を出力するように動作可能な複数のセクタ接続を含む、請求項１に記載のシステム。
【請求項３】
前記複数のセクタ接続の各々は、光出力を備える、請求項２に記載のシステム。
【請求項４】
前記複数のＤＭＵの各々は、前記１つまたは複数のＢＢＵの各々からデジタル信号を受信するように動作可能である、請求項１に記載のシステム。
【請求項５】
前記複数のＤＭＵは、イーサネット（登録商標）ケーブル、光ファイバ、マイクロウェーブ・ライン・オブ・サイト・リンク、ワイヤレスリンク、または衛星リンクのうちの少なくとも１つを介して、互いに結合され前記複数のＤＲＵに結合される、請求項１に記載のシステム。
【請求項６】
前記複数のＤＲＵは、デイジーチェーン構成で接続される、請求項１に記載のシステム。
【請求項７】
前記複数のＤＲＵは、星状構成で前記複数のＤＭＵに接続される、請求項１に記載のシステム。
【請求項８】
前記複数のＤＭＵは、イーサネット（登録商標）ケーブル、光ファイバ、マイクロウェーブ・ライン・オブ・サイト・リンク、ワイヤレスリンク、または衛星リンクのうちの少なくとも１つを介して、前記１つまたは複数のＢＢＵに接続される、請求項１に記載のシステム。
【請求項９】
前記複数のＤＲＵは、前記複数のＤＭＵの１つにループ状に接続される、請求項１に記載のシステム。
【請求項１０】
複数のデジタル・マルチプレクサ・ユニット（ＤＭＵ）および複数のデジタル・リモート・ユニット（ＤＲＵ）を含む分散型アンテナシステムにおいて信号をルーティングする方法であって、前記方法は、
１つまたは複数のベース・バンド・ユニット（ＢＢＵ）のセクタポートからのデジタル信号を、前記複数のＤＭＵの少なくとも１つの入力ポートで、受信するステップと、
前記複数のＤＭＵのデジタルピアポートであって直接に接続された前記デジタルピアポートを介して前記複数のＤＭＵ間で前記１つまたは複数のＢＢＵから前記デジタル信号をルーティングするステップとを含み、
前記複数のＤＭＵの各々は、前記１つまたは複数のＢＢＵのいずれかから信号を受信して前記複数のＤＭＵのいずれか１つにルーティングするように動作可能であり、
前記方法は、
前記複数のＤＭＵと前記複数のＤＲＵとの間で前記デジタル信号を転送するステップと、
を含む、方法。
【請求項１１】
前記複数のＤＭＵ間で前記デジタル信号をルーティングするステップは、ルーティングテーブルを用いるサブステップを含む、請求項１０に記載の方法。
【請求項１２】
前記ルーティングテーブルは、前記複数のＤＭＵに結合されたサーバにて提供される、
請求項１１に記載の方法。
【請求項１３】
前記ルーティングテーブルは、前記複数のＤＲＵのうちの１つまたは複数にて提供される、請求項１１に記載の方法。
【請求項１４】
前記ルーティングテーブルは、マージブロックを含む、請求項１３に記載の方法。
【請求項１５】
前記複数のＤＲＵの各々における各々のキャリアのパワーレベルは、独立して制御される、請求項１０に記載の方法。
【請求項１６】
前記複数のＤＭＵ間で前記デジタル信号をルーティングするステップは、
第１のＢＢＵから受信した第１のデジタル信号および第２のＢＢＵから受信した第２のデジタル信号を順に並べるサブステップと、
前記順に並べたデジタル信号を前記複数のＤＲＵの１つに方向付けるサブステップと、
を含む、請求項１０に記載の方法。
【請求項１７】
ピアポートを介して互いに直接にかつデジタル的に結合され、前記ピアポートを介して複数のデジタル・マルチプレクサ・ユニット（ＤＭＵ）間でデジタル信号をルーティングするように動作可能な複数のＤＭＵであって、前記複数のＤＭＵの各々は、複数のＢＢＵのうちの１つまたは複数からデジタル入力を受信するように動作可能な複数のデジタル入力ポートを含み、前記複数のＢＢＵの各々は、複数のデジタル出力ポートを含む、複数のＤＭＵを備える分散型アンテナシステムであって、
前記複数のＤＭＵの各々は、前記複数のＢＢＵのいずれか１つから信号を受信し、別のＤＭＵにルーティングするように動作可能であり、
前記分散型アンテナシステムは、
互いに結合され、複数のデジタル・アクセス・ユニット（ＤＡＵ）間で信号をルーティングするように動作可能な複数のＤＡＵであって、前記複数のＤＡＵの各々は、複数のＢＴＳのうちの１つまたは複数からアナログＲＦ入力を受信するように動作可能な複数のアナログ入力ポートを含み、前記複数のＢＴＳの各々は、複数のアナログＲＦ出力ポートを含む、複数のＤＡＵと、
前記複数のＤＭＵに結合され、デジタル・リモート・ユニット（ＤＲＵ）とＤＭＵとの間で信号を転送するように動作可能な複数のＤＲＵであって、前記複数のＤＲＵの各々は、リモートアンテナを含む、複数のＤＲＵと、
を備える、分散型アンテナシステム。
【請求項１８】
前記複数のＤＭＵの各々の、前記複数のデジタル入力ポートの各々は、前記複数のＢＢＵの対応するＢＢＵのセクタと関連付けられる、請求項１７に記載の分散型アンテナシステム。
【請求項１９】
前記複数のＢＴＳの各々の、前記複数のアナログＲＦ出力ポートの各々は、前記複数のＢＴＳの対応するＢＴＳのセクタと関連付けられる、請求項１７に記載の分散型アンテナシステム。
【請求項２０】
前記複数のＢＢＵの１つの前記複数のデジタル出力ポートの１つは、光ファイバを用いて、前記複数のＤＭＵの１つの前記複数のデジタル入力ポートの１つに接続される、請求項１７に記載の分散型アンテナシステム。
【請求項２１】
前記複数のＤＡＵと前記複数のＤＭＵとの間の信号のルーティングは、
第１のＢＢＵから受信した第１のデジタル信号を、第１のＢＴＳからの第２のＲＦ入力とともに順に並べ、順に並べた信号を生成し、
前記順に並べた信号を前記複数のＤＲＵの１つに方向付けること
を含む、請求項１７に記載の分散型アンテナシステム。
【外国語明細書】
2020018014.tif 000013
2020018014.tif 000014
2020018014.tif 000015
2020018014.tif 000016
2020018014.tif 000017
2020018014.tif 000018
2020018014.tif 000019
2020018014.tif 000020
2020018014.tif 000021
2020018014.tif 000022
2020018014.tif 000023
2020018014.tif 000024
2020018014.tif 000025
2020018014.tif 000026
2020018014.tif 000027
2020018014.tif 000028
2020018014.tif 000029
2020018014.tif 000030
2020018014.tif 000031
2020018014.tif 000032
2020018014.tif 000033
2020018014.tif 000034
2020018014.tif 000035
2020018014.tif 000036
2020018014.tif 000037
2020018014.tif 000038
2020018014.tif 000039
2020018014.tif 000040
2020018014.tif 000041
2020018014.tif 000042
2020018014.tif 000043
2020018014.tif 000044